(57)【要約】【課題】幼児のいたずらで外れることのないガードベルトの固定構造を提供する。【解決手段】幼児用椅子の座板３とガード部材５との間にガードベルト６を張設して椅子に固定する固定構造において、ガードベルト６の上端部をガード部材５に取り付け、ガードベルト６の下端部に形成した環状部９を座板３の挿通穴７から下方へ突出させ、その環状部９に固定具１０を差し込むようにして、ガードベルト６を挿通穴７から抜け止めし、また、固定具１０を差し込む環状部９を選択して、座板３とガード部材５の間のガードベルト６の長さを調整することにより、ガードベルト６の弛みを抑制できるようにし、さらに、ガードベルト６を固定具１０の保持スリット１４に嵌め込むようにする。【選択図】図４
2006271613.tif 000002
【特許請求の範囲】
【請求項１】
幼児用椅子の座板３とガード部材５との間にガードベルト６を張設して椅子に固定する固定構造において、ガードベルト６の上端部をガード部材５に取り付け、ガードベルト６の下端部に形成した環状部９を座板３の挿通穴７から下方へ突出させ、その環状部９に固定具１０を差し込むようにして、ガードベルト６を挿通穴７から抜け止めしたことを特徴とする幼児用椅子のガードベルトの固定構造。
【請求項２】
前記ガードベルト６の下端側に、複数の環状部９を長さ方向に並べて形成し、固定具１０を差し込む環状部９を選択して、座板３とガード部材５の間のガードベルト６の長さを調整できるようにしたことを特徴とする請求項１に記載の幼児用椅子のガードベルトの固定構造。
【請求項３】
前記固定具１０として、板状体に一端が開放された２本の導入スリット１１を奥側の間隔が狭くなるように設け、この導入スリット１１の間に傘状の差込片１２を形成し、差込片１２の先端部両側に基端側へ向かう抜止片１３を突設して、抜止片１３の内側に導入スリット１１の奥側と直線状に連通する保持スリット１４を形成したものを使用し、差込片１２をガードベルト６の環状部９に差し込みつつ、ガードベルト６を一方の側部から導入スリット１１に挿入し、ガードベルト６の他方の側部を保持スリット１４に嵌め込むようにしたことを特徴とする請求項１又は２に記載の幼児用椅子のガードベルトの固定構造。
【発明の詳細な説明】
【技術分野】
【０００１】
この発明は、幼児期の子供が食事等に際して使用する幼児用椅子において、座板からの幼児の転落を防止するガードベルトを固定する構造に関するものである。
【背景技術】
【０００２】
一般に、幼児用椅子では、座板からの幼児の転落を防止するため、座板とガード部材との間にガードベルトが張設される。その固定構造として、図６に示すように、座板５０及びガード部材５１にそれぞれ分割したガードベルト５２，５３の一端を取り付け、各ガードベルト５２，５３の他端にバックル５４，５５を縫着し、このバックル５４，５５によりガードベルト５２，５３の締結・開放を行うものが多用されている。
【発明の開示】
【発明が解決しようとする課題】
【０００３】
しかしながら、上記のようなガードベルトの固定構造では、椅子に座った幼児がいたずらをしてバックルのロックを解除してしまう恐れがあり、安全性に不安があった。
【０００４】
そこで、この発明は、幼児のいたずらで外れることのないガードベルトの固定構造を提供することを課題とする。
【課題を解決するための手段】
【０００５】
上記のような課題を解決するため、この発明は、幼児用椅子の座板とガード部材との間にガードベルトを張設して椅子に固定する固定構造において、ガードベルトの上端部をガード部材に取り付け、ガードベルトの下端部に形成した環状部を座板の挿通穴から下方へ突出させ、その環状部に固定具を差し込むようにして、ガードベルトを挿通穴から抜け止めし、また、固定具を差し込む環状部を選択して、座板とガード部材の間のガードベルトの長さを調整することにより、ガードベルトの弛みを抑制できるようにし、さらに、ガードベルトを固定具の保持スリットに嵌め込むようにしたのである。
【発明の効果】
【０００６】
このような固定構造によると、ガードベルトの下端部が固定具により座板の下方で椅子に固定されるので、椅子に座った幼児がいたずらでガードベルトから固定具を引き抜くことができず、座板からの幼児の転落を確実に防止することができる。
【発明を実施するための最良の形態】
【０００７】
以下、この発明の実施形態を添付図面に基づいて説明する。
【０００８】
図１に示す幼児用椅子は、一対の脚柱１の上部間に背板２を設け、その下方に座板３及び足載板４を架設し、座板３の前部上方にガード部材５を巡らせたものとされている。座板３とガード部材５の間にはガードベルト６が張設され、座板３の前部には、ガードベルト６を挿通する挿通穴７が設けられている。
【０００９】
ガードベルト６の上部は、ガード部材５に縫着され、ガードベルト６の下部は、この発明に係る固定具１０により座板３に係止されている。
【００１０】
上記固定具１０は、図２に示すように、プラスチック製の板状体に、一端が開放された２本の導入スリット１１を奥側の間隔が狭くなるように設け、この導入スリット１１の間に傘状の差込片１２を形成し、差込片１２の両側先端部に基端側へ向かう抜止片１３を突設して、抜止片１３の内側に導入スリット１１の奥側と直線状に連通する保持スリット１４を形成したものとされている。
【００１１】
また、図３に示すように、ガードベルト６は、折り返して縫い付けることにより、上端側にガード部材５が挿通される環状部８を形成し、下端側にガードベルト６の長さ方向に並ぶ複数の環状部９を形成したものとされている。
【００１２】
上記のようなガードベルト６を、固定具１０を用いて幼児用椅子に固定する際には、図４及び図５に示すように、座板３の挿通穴７からガードベルト６の環状部９を下方へ突出させ、いずれかの環状部９に差込片１２を差し込むようにして、ガードベルト６を一方の側部から導入スリット１１に挿入し、幅方向に少し撓むように押し付け、その反発に伴いガードベルト６の他方の側部を保持スリット１４に嵌め込む。
【００１３】
このように、ガードベルト６の下端部を、固定具１０を用いて座板３の下方で椅子に固定すると、椅子に座った幼児がいたずらでガードベルト６から固定具１０を引き抜くことができず、また、導入スリット１１からのガードベルト６の抜け出しが抜止片１３により防止されるので、座板３からの幼児の転落を確実に防止することができる。
【００１４】
なお、この幼児用椅子では、脚柱１の内面に前後方向の多数の溝が形成されており、そのいずれに座板３及び足載板４を差し込むかによって、座板３及び足載板４の高さを調整することができるが、このとき、ガードベルト６があまり弛まないように、差込片１２を差し込む環状部９を選択すればよい。
【図面の簡単な説明】
【００１５】
【図１】この発明に係るガードベルト固定構造を使用した幼児用椅子の全体斜視図
【図２】同上の固定具のみを示す斜視図
【図３】同上のガードベルトと固定具の関係を示す斜視図
【図４】同上の幼児用椅子への使用状態を下方から示す斜視図
【図５】同上の座板への係止状態を示す縦断側面図
【図６】従来のガードベルトのバックル式固定構造を示す部分正面図
【符号の説明】
【００１６】
１  脚柱
２  背板
３  座板
４  足載板
５  ガード部材
６  ガードベルト
７  挿通穴
８，９  環状部
１０  固定具
１１  導入スリット
１２  差込片
１３  抜止片
１４  保持スリット
【図１】
2006271613.tif 000003
【図２】
2006271613.tif 000004
【図３】
2006271613.tif 000005
【図４】
2006271613.tif 000006
【図５】
2006271613.tif 000007
【図６】
2006271613.tif 000008